(57)【要約】      （修正有）【課題】風をガイドすることができ、吹き出した風が比較的に集中で且つ均一であり、室内での空気循環を効果的に促進することができる循環フロントメッシュ及びこれを用いた扇風機を提供する。【解決手段】循環フロントメッシュ１０は、扇風機のバックメッシュ３０に装着され、且つ円筒状のサイドパネル、複数の弧状のガイドバー及び中央カバーを含み、サイドパネルの後端の内側は、バックメッシュ３０の前端と互いに嵌合するように一体に固定され、サイドパネルの前端の内面は、ガイドバーの外端の端面と互いに接触して連接され、ガイドバーの数は、複数であり、ガイドバーの内端は、中央カバーの周縁に固定連接され、また、ガイドバーの内側の縁には、扇風機の内部へ隆起するフィンがそれぞれ設けられ、フィンの一端は、中央カバーの内側の縁に連接される。【選択図】図１
0003213373.tif 000002
【実用新案登録請求の範囲】
【請求項１】
扇風機のバックメッシュに装着されて使用される循環フロントメッシュであって、
前記循環フロントメッシュは、円筒状のサイドパネルと、複数の弧状のガイドバーと、中央カバーと、を含み、
前記サイドパネルの後端の内側は、前記バックメッシュの前端と互いに嵌合するように一体に固定され、前記サイドパネルの前端の内面は、前記ガイドバーの外端の端面と互いに接触して連接され、前記ガイドバーの数は、２つ以上であり、各ガイドバーの内端は、前記中央カバーの周縁に固定連接され、
前記ガイドバーの内側の縁には、前記扇風機の内部へ隆起するフィンが設けられ、前記フィンの一端は、前記中央カバーの内側の縁に連接されることを特徴とする循環フロントメッシュ。
【請求項２】
前記サイドパネルの外側の表面には、ロック部材及び矩形の開口が設けられ、前記ロック部材の一端は、前記開口を貫通して前記バックメッシュの前端の外側面と緊密に当接し、前記サイドパネルの内面には、前記バックメッシュの前端の外側面と協力する係合部品が設けられていることを特徴とする請求項１に記載の循環フロントメッシュ。
【請求項３】
前記フィンの数は、前記ガイドバーの数より少ない、ことを特徴とする請求項２に記載の循環フロントメッシュ。
【請求項４】
ファンブレードを備える扇風機であって、前記ファンブレードの後ろには、前記ファンブレードをカバーするように設けられたバックメッシュを有し、前記バックメッシュの前方には、請求項１〜３の何れか一項に記載の循環フロントメッシュが装着され、前記循環フロントメッシュの中のサイドパネルは、前記バックメッシュと互いに固定されることを特徴とする扇風機。
【考案の詳細な説明】
【技術分野】
【０００１】
本考案は、扇風機に関し、特に一種の新たな扇風機用の循環フロントメッシュ及びこれを備える扇風機に関するものである。
【背景技術】
【０００２】
扇風機は、人々の日常生活でよく使われる家電製品であり、一般的にフロントメッシュ、ファンブレード及びバックメッシュ等の部品により構成される。しかし、現時点で市販されている扇風機のフロントメッシュは、異物などを扇風機の中に入ることを防止する役割を果たし、ファンブレードから吹き出した風をガイド又は分流することができない。故に、従来の扇風機が吹き出した風は、発散状態になり、風力が集中していない。
【考案の概要】
【考案が解決しようとする課題】
【０００３】
本考案は、従来の扇風機の問題点を考慮してなされたものであり、斬新な扇風機の循環フロントメッシュ及びこの循環フロントメッシュを備える扇風機を提供することを目的とする。
【課題を解決するための手段】
【０００４】
上記の課題を解決するために、本考案に係る循環フロントメッシュは、扇風機のバックメッシュに装着されて使用され、且つ円筒状のサイドパネルと、複数の弧状のガイドバーと、中央カバーと、を含み、前記サイドパネルの後端の内側は、前記バックメッシュの前端と互いに嵌合するように一体に固定され、前記サイドパネルの前端の内面は、前記ガイドバーの外端の端面と互いに接触して連接され、前記ガイドバーの数は、複数であり、複数の前記ガイドバーの内端は、全て前記中央カバーの周縁に固定連接され、また、複数の前記ガイドバーの内側の縁には、前記扇風機の内部へ隆起するフィンがそれぞれ設けられ、前記フィンの一端は、前記中央カバーの内側の縁に連接される。
【０００５】
さらに、前記サイドパネルの外側の表面には、ロック部材及び矩形の開口が設けられ、前記ロック部材の一端は、前記開口を貫通して前記バックメッシュの前端の外側面と緊密に当接し、前記サイドパネルの内面には、前記バックメッシュの前端の外側面と協力する係合部品が設けられている。
【０００６】
さらに、前記フィンの数は、前記ガイドバーの数より少ない。
【０００７】
また、上記の課題を解決するために、本考案に係る扇風機は、ファンブレードを備え、前記ファンブレードの後ろには、前記ファンブレードをカバーするように設けられたバックメッシュを有し、前記バックメッシュの前方には、循環フロントメッシュが装着され、前記循環フロントメッシュは、円筒状のサイドパネルと、複数の弧状のガイドバーと、中央カバーと、を含み、前記サイドパネルの後端の内側は、前記バックメッシュの前端と互いに嵌合し、前記サイドパネルの前端の内面は、前記ガイドバーの外端の端面と互いに接触して連接され、前記ガイドバーの数は、複数であり、複数の前記ガイドバーの内端は、全て前記中央カバーの周縁に固定連接され、また、複数の前記ガイドバーの内側の縁には、前記扇風機の内部へ隆起するフィンがそれぞれ設けられ、前記フィンの一端は、前記中央カバーの内側の縁に連接され、前記サイドパネルは、前記バックメッシュと互いに固定される。
【考案の効果】
【０００８】
本考案に係る扇風機の循環フロントメッシュは、それを通過する風をガイドして分流することができる。これにより、当該循環フロントメッシュを用いた扇風機が吹き出した風は、比較的に集中になり、均一で且つ定期的であり、室内での空気循環を効果的に促進ことができる。
【図面の簡単な説明】
【０００９】
【図１】本考案に係る扇風機の構造を示す断面図である。
【図２】本考案に係る循環フロントメッシュの全体構造を示す斜視図である。
【図３】本考案に係る循環フロントメッシュの正面図である。
【考案を実施するための形態】
【００１０】
以下、具体的な実施例及び図面を参照しながら、本考案の構成及び利点などを詳細に説明する。ただし、ここで記述する具体的な実施例は、本考案を解釈するためのものであり、本考案を制限するものではない。
【００１１】
図１に示すように、本考案に係る扇風機は、ファンブレード２０を備える。ファンブレード２０の後ろには、ファンブレード２０をカバーするように装着されたバックメッシュ３０が設けられる。バックメッシュ３０の前方には、循環フロントメッシュ１０が装着されている。循環フロントメッシュ１０の中のサイドパネルは、バックメッシュ３０と互いに固定される。
【００１２】
図２及び図３に示すように、本考案に係る循環フロントメッシュ１０は、バックメッシュ３０と組み合わせて使用し、バックメッシュ３０に装着される。循環フロントメッシュ１０は、円筒状のサイドパネル１と、複数の弧状のガイドバー２と、中央カバー３と、を含む。サイドパネル１の後端（ユーザに向う端の反対側の端）の内側は、バックメッシュ３０の前端と互いに嵌合するように一体に固定される。また、サイドパネル１の前端（ユーザに向う端）の内面は、ガイドバー２の外端（中央カバー３から遠く離れた端）の端面と互いに接触して連接される。ガイドバー２の数は、少なくとも２つ以上である。ガイドバー２の内端は、全て中央カバー３の周縁に固定連接される。また、複数のガイドバー２の内側の縁には、扇風機の内部へ隆起するフィン４がそれぞれ設けられている。各フィン４の一端は、中央カバー３の内側の縁に連接される。
【００１３】
さらに、サイドパネル１の外側の表面には、ロック部材及び矩形の開口５が設けられている。前記ロック部材の一端は、開口５を貫通してバックメッシュ３０の前端の外側面と緊密に当接する。また、サイドパネル１の内面には、バックメッシュ３０の前端の外側面に対応する係合部品６が設けられている。
【００１４】
本考案では、循環フロントメッシュ１０をバックメッシュ３０に直接に装着することが可能になる。しかし、従来技術では、フロントメッシュとバックメッシュは、この両者の間に位置するプラスチック製のネット枠を介して互いに固定されるものである。その具体的な取付け方法は、フロントメッシュを前記ネット枠に掛けた後、フロントメッシュとネット枠をバックメッシュに被せる。最後に、バックメッシュに設けられた留め具を介してフロントメッシュとバックメッシュとを一体に固定する。このような取付け方式は、複雑であり、取り外しが非常に不便である。これに対して、本考案に係る循環フロントメッシュ１０は、バックメッシュ３０に直接に装着されることが可能であり、設置手順を簡素化し、扇風機を分解することも容易になる。
【００１５】
さらに、前記フィン４の数は、ガイドバー２の数より少ないものとする。
【００１６】
本考案において、フィン４がファンブレード２０が吹き出した風をガイド又は分流できるため、中央カバー３の後ろ側の周縁での風は、外に向けて順調にガイドされる。これにより、ファンブレード２０からの風が中央カバー３の後ろに吹き出された際に、引返しによる乱流の形成により、外へ出力する風力が弱められることを効果的に防止することができる。
【００１７】
以上、好適な具体例を挙げて本考案を説明してきたが、本考案は、上述の実施形態に限定されるものではなく、その要旨を逸脱しない範囲において、種々な変更又は取替えが可能であることは言うまでもない。この変更又は取替えに基づく様々な変形例も本考案の保護範囲に含まれることは明らかである。
【符号の説明】
【００１８】
１      サイドパネル
２      ガイドバー
３      中央カバー
４      フィン
５      開口
６      係合部品
１０    循環フロントメッシュ
２０    ファンブレード
３０    バックメッシュ
【図１】
0003213373.tif 000003
【図２】
0003213373.tif 000004
【図３】
0003213373.tif 000005